(57)【要約】【課題】マシンラック空調ガイド機制を提供する。【解決手段】本発明のマシンラック空調ガイド機制は、前拡張筐体及び後拡張筐体を利用し、それぞれマシンラックに結合させ、閉鎖した内部空間を構成し、直接ガイドの方式で冷気を導入し、熱気を導出し、マシンラック内部に直接作用する単一方向気流機制を形成し、迅速な放熱の目的を達成する。これにより、マシンラック内の熱交換の効率、空調制御上の性能を向上し、且つ消費エネルギーを節減し、マシンルームの空間を有効利用し、空調設置コストを低減する。【選択図】図５
2017015386.tif 000002
【特許請求の範囲】
【請求項１】
内部に電子装置を安置させる収容空間を有する少なくとも１つのマシンラックと、
それぞれ該マシンラック前後側に適合して結合する前拡張筐体及び後拡張筐体を含み、  該前拡張筐体内部に前方空間を有し、該後拡張筐体内部に後方空間を有し、該前拡張筐体及び該後拡張筐体が該マシンラックに結合される時、該前方空間、該後方空間及び該マシンラック内の収容空間が連通し、外に対して閉鎖を形成し、該前拡張筐体は、外部の冷気を内へ導入することに用いる少なくとも１つの前ガイドモジュールを設け、該後拡張筐体は、内部で生成する熱気を外へ導出することに用いる後ガイドモジュールを設け、該マシンラック内部に直接作用する単一方向気流機制を形成する少なくとも１つの空調ガイドモジュールと、
冷連通管路、熱連通管路及び冷却装置を含み、該冷却装置は、熱気を受け取り、冷気を生成し、該冷連通管路は、それぞれ該前ガイドモジュール及び該冷却装置に接続し、該冷却装置が生成する冷気を該前拡張筐体に供給することに用いられ、該熱連通管路は、それぞれ該後ガイドモジュール及び該冷却装置に接続し、該後拡張筐体が導出する熱気を該冷却装置に供給することに用いられる冷却機制と、
を含むマシンラック空調ガイド機制。
【請求項２】
前記前ガイドモジュールは、導入口及び前送風ユニットを含み、該後ガイドモジュールは、導出口及び後送風ユニットを含む請求項１に記載のマシンラック空調ガイド機制。
【請求項３】
前記後拡張筐体内に温度センサユニットを設け、内部の温度をセンシングし、該前送風ユニット及び該後送風ユニットが空気をガイドする速度を調節する請求項２に記載のマシンラック空調ガイド機制。
【請求項４】
前記前拡張筐体は、２つの前ガイドモジュールを設け、それぞれ該前拡張筐体の上部及び底部に配置し、且つ該冷却機制は、２つの冷連通管路を含み、それぞれ相対する上方又は下方から該２つの前ガイドモジュールを該冷却装置に接続する請求項３に記載のマシンラック空調ガイド機制。
【請求項５】
前記後拡張筐体内に複数の温度センサユニットを設け、それぞれ異なる高さの位置に配置し、後拡張筐体内部の異なる高さの温度をセンシングし、それぞれ対応する該２つの前ガイドモジュールが空気をガイドする速度を調節することができる請求項４に記載のマシンラック空調ガイド機制。
【請求項６】
前記マシンラック及び該空調ガイドモジュールは、数量が対応する数量であり、且つ該冷連通管路は、複数の接続端を設け、それぞれ該各前拡張筐体の前ガイドモジュール及び該冷却装置に接続し、該熱連通管路は、複数の接続端を設け、それぞれ該各後拡張筐体の後ガイドモジュール及び該冷却装置に接続する請求項３又は請求項５に記載のマシンラック空調ガイド機制。
【請求項７】
前記前拡張筐体は、更に、該前方空間を利用し、少なくとも１つの電源分配装置又は少なくとも１つの配線管理装置を収容設置する請求項１又は請求項３又は請求項５に記載のマシンラック空調ガイド機制。
【請求項８】
前記前拡張筐体は、前方空間に電源分配装置を取り付け、且つ該電源分配装置は、一側に間隔をおいて配列される複数の給電ユニットを設け、該各給電ユニットは、それぞれ該マシンラック内の電子装置の収容を予定する位置に対応する請求項１又は請求項３又は請求項５に記載のマシンラック空調ガイド機制。
【発明の詳細な説明】
【技術分野】
【０００１】
本発明は、マシンラック又はマシンルームに応用する空調管理システムに関し、特に、空調を直接マシンラックへガイドするマシンラック空調ガイド機制に関する。
【背景技術】
【０００２】
従来のマシンルームに対する空調管理は、マシンルームの全体空間に統一性の計画を行い、ただコストが高いだけでなく、且つマシンラックを配列設置するのに大きな空間を必要とし、各マシンラックの間の冷/熱通路を計画するのに相当大きな空間を保留する必要があり、空間資源を極めて消費する。また、その多くは、マシンルーム全体の空間に空調の循環を行うことで大量のエネルギーの浪費を招く。
【０００３】
図１に示すように、従来のマシンルーム９の空調計画であり、それは、４列のマシンラック９０を設置し、各列のマシンラック９０は、２つずつ正面背面が相互に対応し、且つ相互の間に一定の間隔を保留し、正面の間の間隔を冷通路９２とし、反対面の間の間隔を熱通路９３とし、二側の冷却装置９１を利用して冷気を冷通路９２に導入し、冷気をマシンラック９０の正面からマシンラック９０中に流入し（図中の中空の矢印で示すのは、冷気の流れである）、マシンラック９０中の電子装置に対して熱交換の空調処理を行い、最後に熱気をマシンラック９０の背面から排出させ、熱通路９３に集中させ、冷却装置９１に回収させ（実心の矢印で示すのは熱気の流れである）、冷気として再生し、完全な空調循環を形成する。この種の計画的マシンルーム９は、上げ床９５及び仕切り板９４を利用し、冷通路９２を独立して仕切り、冷気が外へ流れてエネルギーの浪費を形成することを回避するが、それは、依然として大きな空間を有してマシンラック９０を配列させる必要であり、且つ上げ床９５の設置も大きなコストを生じる。
【０００４】
更に図２に示すように、もう１つの従来のマシンルーム９の空調計画は、冷却装置９１をマシンラック９０の配列中に併せて配列し、冷却装置９１にマシンラック９０の背面箇所の熱通路９３から直接熱気を回収させ、冷気を直接冷通路９２中に供給するが（図に示すように、中空の矢印は冷気の流れを示し、実心の矢印は、熱気の流れを示す）、この種の計画は、依然として大きな空間を有してマシンラック９０を配列設置させる必要があり、上げ床の構築コストを節減できるが、その冷通路９２、熱通路９３は、何れも開放式の設計であり、冷却装置９１が供給する冷気は、マシンルーム９のその他の空間に消費され、エネルギーの浪費を招くだけでなく、マシンラック９０の空調管理に対する性能を低下させる。
【０００５】
従来のマシンルームの空調計画の多くの困難及び欠陥に鑑み、発明者は、改善の道を研究し、ようやく本発明を誕生させている。
【先行技術文献】
【特許文献】
【０００６】
【特許文献１】特開2012-21711号公報
【発明の概要】
【発明が解決しようとする課題】
【０００７】
本発明の目的は、空調ガイドモジュールを利用し、マシンルームの空調計画に必要な空間を顕著に低減し、且つ既存のマシンラックに適用可能にし、全体の空調計画に要するコストを大幅に低減することにある。
【０００８】
本発明のもう１つの目的は、空調ガイドモジュール及びマシンラックの組み合わせを利用し、閉鎖式の空間を形成し、直接マシンラックに対して空調ガイドを行う方式を利用し、マシンラックに対する空調処理の最適な性能を達成し、且つエネルギーの消費を大幅に低減することにある。
【課題を解決するための手段】
【０００９】
上記目的を達成する為、本発明が提供する空調ガイドモジュールは、マシンラックに応用され、それが採用する技術手段は、形状が該マシンラックに適合した前拡張筐体及び後拡張筐体を含み、それは、それぞれ該マシンラックの前後側に結合することに用いられ、該前拡張筐体内部に前方空間を有し、該後拡張筐体内部に後方空間を有し、該前拡張筐体及び該後拡張筐体がマシンラックに結合される時、該前方空間及び該後方空間は、該マシンラックに連通する収容空間であり、外部と隔離した空間を形成する。また、該前拡張筐体は、外部冷気を内へ導入する少なくとも１つの前ガイドモジュールを設け、該後拡張筐体は、内部で生成された熱気を外へ導出することに用いられる後ガイドモジュールを設け、該マシンラック内部に対して直接空調処理を行う空調ガイドモジュールを構成する。直接冷気を導入し、熱気を導出する方式によって、エネルギーを有効に節減し、マシンラック中の電子装置に対して最適な空調処理を行うことができる。
【００１０】
好ましくは、該前ガイドモジュールは、導入口及び前送風ユニットを含み、該後ガイドモジュールは、導出口及び後送風ユニットを含む。
【００１１】
好ましくは、該前ガイドモジュールは、該前拡張筐体の上部又は底部に設けられ、該後ガイドモジュールは、該後拡張筐体の上部に設けられることができる。
【００１２】
好ましくは、該後拡張筐体内に温度センサユニットを設け、内部の温度をセンシングし、該前ガイドモジュール及び該後ガイドモジュールの空気をガイドする速度を調節する。
【００１３】
また、前記の空間ガイドモジュールに基づき、冷却装置を組み合わせ、各種規格のマシンルーム中に適用することができ、複数のマシンラックを有する時、空間計画上の困難を有し難く、従来のマシンルーム中に直接適用でき、全体の空調計画を改めて作り直す必要がなく、建設コストを低減する。また、各マシンラックに対して直接空調ガイドを行う機制を利用し、エネルギーを有効に節減し、各マシンラックの熱交換処理に最適化した性能を達成させる。
【００１４】
このため、本発明が提供するマシンラック空調ガイド機制は、少なくとも１つのマシンラック、少なくとも１つの空調ガイドモジュール及び冷却機制を含む。そのうち、該マシンラック内部は、電子装置を安置させることができる収容空間を有し、該空調ガイドモジュールは、該マシンラックに対応し、該マシンラック前後側に適合して結合する前拡張筐体及び後拡張筐体を含み、該前拡張筐体内部に前方空間を有し、該後拡張筐体内部に後方空間を有し、該前拡張筐体及び該後拡張筐体がマシンラックに結合する時、該前方空間、該後方空間及び該マシンラック内の収容空間が連通氏、外に対して閉鎖し、また、該前拡張筐体は、外部の冷気を内へ導入する少なくとも１つの前ガイドモジュールを設け、該後拡張筐体は、内部に生成された熱気を外へ導出する少なくとも１つの後ガイドモジュールを設け、該マシンラック内部に直接作用する単一方向気流機制を形成する。該冷却機制は、冷連通管路、熱連通管路及び冷却装置を含む。該冷却装置は、熱気を受け取って冷気を生成することに用いられる。該冷連通管路は、それぞれ該前ガイドモジュール及び該冷却装置に接続し、該冷却装置が生成する冷気を該前拡張筐体に供給することに用いられる。該熱連通管路は、それぞれ該後ガイドモジュール及び該冷却装置に接続し、該後拡張筐体が導出する熱気を該冷却装置に供給することに用いられる。
【００１５】
これにより、冷連通管路及び熱連通管路を利用し、直接マシンラックに対して空調ガイドを行う方式で、冷却装置が生成する冷気が外部環境中に散逸されることを有効に回避し、エネルギーの使用を節減し、且つ直接ガイドの方式でマシンラック内部に熱交換処理を十分に完成させ、適用な温度を保持させることができ、その内部の電子器材を良好な状態に保持させる。
【００１６】
好ましくは、該前ガイドモジュールは、導入口及び前送風ユニットを含み、該後ガイドモジュールは、導出口及び後送風ユニットを含む。
【００１７】
好ましくは、該後拡張筐体内に温度センサユニットを設け、内部の温度をセンシングし、該前送風ユニット及び該後送風ユニットが空気をガイドする速度を調節する。
【００１８】
好ましくは、該前拡張筐体は、２つの前ガイドモジュールを設け、それぞれ該前拡張筐体の上部及び底部に配置し、且つ該冷却機制は、２つの冷連通管路を含み、それぞれ相対する上方又は下方から該２つの前ガイドモジュールを該冷却装置に接続する。
【００１９】
好ましくは、該後拡張筐体内に複数の温度センサユニットを設け、それぞれ異なる高さの位置に配置し、後拡張筐体内部の異なる高さの温度をセンシングし、それぞれ対応する該２つの前ガイドモジュールが空気をガイドする速度を調節することができる。
【００２０】
好ましくは、該マシンラック及び該空調ガイドモジュールは、数量が対応する数量であり、且つ該冷連通管路は、複数の接続端を設け、それぞれ該各前拡張筐体の前ガイドモジュール及び該冷却装置に接続し、該熱連通管路は、複数の接続端を設け、それぞれ該各後拡張筐体の後ガイドモジュール及び該冷却装置に接続する。
【００２１】
また、本発明のマシンラック空調ガイド機制は、更に前拡張筐体の前方空間及び後拡張筐体の後方空間を利用することができ、電子装置の安置に必要な関連アクセサリ、例えば、電源分配装置又は配線管理装置等を合わせ、この付加空間を有効に利用し、マシンラック内の取り付けが混雑して気体の流動に影響を及ぼすことを回避することができ、気流に良好な流通性を保有させ、マシンラック内部の放熱効率を向上する。
【００２２】
好ましくは、前方空間又は後方空間に取り付けられる電源分配装置は、一側に間隔をおいて配列される複数の給電ユニットを設け、且つ該各給電ユニットは、それぞれ該マシンラック内の電子装置の収容を予定する位置に対応する。
【発明の効果】
【００２３】
上記を総合し、本発明が開示するマシンラック空調ガイド機制は、冷連通管路及び熱連通管路によってマシンラックに対して直接外部空調ガイドの処理を行うことができ、且つ内部に設置した温度センサユニットを利用し、各マシンラック内部の異なる位置の電子器材の温度に基づき、相応する位置の前ガイドモジュールを調節し、空気のガイドの速度を増加（又は低減）し、内部空調ガイドの効果を形成し、エネルギーを節約し、最適化された空調管理を達成する。
【００２４】
前記後拡張筐体に配設した温度センサユニットは、それがセンシングする温度がマシンラック中の電子装置の作動時に発散する熱エネルギーに相応し、故に放熱の要求としてみなすことができ、異なる位置の温度センサユニットによって、マシンラック中の放熱が必要な領域を具体的に知ることができ、必要に応じて相応する位置を調整する前ガイドモジュールは、冷気を十分の必要な領域へガイドすることができ、各マシンラックの内部で必要な位置に応じて空調ガイドを行う機制を達成する。また、本発明の各マシンラック中の各温度センサユニットがセンシングする情報は、該各マシンラック全体の放熱の要求を整合し、冷却装置に内蔵する制御器は、接続する各マシンラックの放熱要求の統計に基づき、適量な冷気を供給し、省エネルギーの効果を達成する。
【図面の簡単な説明】
【００２５】
【図１】従来のマシンルームの空調の計画の説明図である。
【図２】従来のもう１つの電子機器室の空調の計画の説明図である。
【図３】空調ガイドモジュール及びマシンラックの組み合わせ説明図である。
【図４】マシンラック内部の冷熱交換の説明図である。
【図５】複数のマシンラックの応用例の外観説明図である。
【図６】もう１つの複数のマシンラックの応用例の外観説明図である。
【図７】実施状態のマシンラック内部の空調ガイドの説明図である。
【図８】もう１つの実施状態のマシンラック内部の空調ガイドの説明図である。
【図９】好適実施例の立体説明図である。
【図１０】給電ユニットの位置対応の説明図である。
【図１１】電源分配装置及び配線管理装置の配置説明図である。
【図１２】もう１つの視角の電源分配装置の配置説明図である。
【発明を実施するための形態】
【００２６】
本発明の上記目的、効果及び特徴を更に具体的に理解させるため、本発明の好適な実施例を挙げ、図面に基づき、以下に説明する。
【００２７】
図３〜図５を参照し、本発明の実施例は、マシンラック３前後側に拡張される空調ガイドモジュール１を利用し、閉鎖式の空調システムを構成し、空調をマシンラック３に直接導入し、熱交換処理を行わせ、空調がマシンラック３の外部空間に作用して消耗するエネルギーを節約し、且つ従来のマシンルームの空調計画がマシンラックを並列する必要があり、冷、熱通路を保留するのに必要な幅を大幅に低減することができる。
【００２８】
そのうち、空調ガイドモジュール１は、形状がそれぞれマシンラック３の前後側に適合する前拡張筐体１０及び後拡張筐体２０を含む。前拡張筐体１０内部に前方空間１１を有し、その一側は、マシンラック本体３０前側に結合することに用い、他側は、マシンラック３の前板３１を閉鎖させる。後拡張筐体２０内部に後方空間２１を有し、その一側は、マシンラック本体３０の後側に結合し、他側は、マシンラック３の後板３２を閉鎖させる。これにより、前拡張筐体１０及び後拡張筐体２０がマシンラック３に結合した後、前方空間１１及び後方空間２１がマシンラック本体３０内部の収容空間３０１に連通し、外部と隔離した独立空間を形成する。
【００２９】
前拡張筐体１０は、前ガイドモジュール１２を設け、外部の冷気を内へ導入することに用いられ、後拡張筐体２０は、後ガイドモジュール２２を設け、内部で生成される熱気を外へ導出することに用いられ、これにより、冷気を前ガイドモジュール１２から導入した後（図４の中空の矢印参照）、直接マシンラック本体３０内部の伝送装置３０２に熱交換させ、その熱交換後の熱気を円滑に後ガイドモジュール２２から導出させ（図４の実心の矢印参照）、マシンラック３に対して直接空調ガイドを行う目的を達成する。
【００３０】
可能な実施例において、前ガイドモジュール１２は、導入口121及び前送風ユニット１２２を含み、後ガイドモジュール２２は、導出口２２１及び後送風ユニット２２２を含み、導入口１２１及び導出口２２１は、それぞれ空調システムの冷連通管路４１及び熱連通管路４２と接続し、前送風ユニット１２２及び後送風ユニット２２２は、列記、熱気の流動の方向を制御することに用いられる。
【００３１】
また、本発明の実施例は、更に、後拡張筐体２０内に温度センサユニット２３を設け、それは、後ガイドモジュール２２付近の位置に配置することができ、マシンラック３内部の電子装置３０２が熱交換後に昇温した温度をセンシングすることによって、前ガイドモジュール１２及び後ガイドモジュール２２の空気のガイドの速度を有効に調節することができ、最適化された空調制御管理及び省エネルギーの効果を達成する。
【００３２】
図５を参照し、それは、本発明の複数のマシンラックの応用例の外観説明図であり、マシンルームに適用することができ、前記空調ガイドモジュール１に結合する複数のマシンラック３を並列し、冷却機制４により各マシンラック３に対して直接ガイドを行う空調処理である。冷却機制４は、冷連通管路４１、熱連通管路４２及び冷却装置４０を含む。冷却装置４０は、熱気を受け取って冷気を生成することに用いられる。冷連通管路４１は、複数の接続端を設け、それぞれ各前ガイドモジュール１２の導入口１２１及び冷却装置４０に接続し、冷却装置４０が生成する冷気を各前拡張筐体１０に供給することに用いられる。熱連通管路４２は、複数の接続端を設け、それぞれ各後ガイドモジュール２２の導出口２２１及び冷却装置４０に接続する。各後拡張筐体２０が導出する熱気を冷却装置４０に供給することに用いられる。本実施例において、冷連通管路４１、各前ガイドモジュール１２、熱連通管路４２及び各後ガイドモジュール２２は、何れも各空調ガイドモジュール１の上方に位置し、これにより、冷気を前方空間１１に導入後、自然に下へ流動させることができ、マシンラック３中の電子装置３０２が熱交換を行い、熱交換後に後方空間２１中の熱気は、自然に上向きに流動することができ、後ガイドモジュール２２に上方から円滑に熱気を導出させることができる。
【００３３】
本発明のマシンラック空調ガイド機制の実際の応用時、マシンルーム全体を改めて計画又は建設し直す必要がなく、既存のマシンラック３を交換する必要がなく、適宜空調ガイドモジュール１をマシンラック３に結合した後、冷却機制４の冷連通管路４１及び熱連通管路４２が接続することで直接ガイドする空調ガイドシステムを完成することができる。また、本発明のマシンラック空調ガイド機制のアーキテクチャに基づき、使用者は、必要に応じて冷却装置４０を適当に配置し、マシンラック３の数量に対応させ、各マシンラック３の放熱上の要求を満たすように確保する。
【００３４】
可能な実施例において、冷連通管路４１及び熱連通管路４２の管路は、構築上の要求（マシンラック３の数量）に基づき、数段の管体が直列接続してなることができ、冷却装置４０及び各マシンラック３を容易に接続し、空調システム冷/熱通路の計画を完成し、マシンルームのアーキテクチャを改築し直す必要がなく、マシンルームの建設のコストを大幅に低減することができる。
【００３５】
また、本発明のマシンラック空調ガイド機制のアーキテクチャに基づき、各マシンラック３と空調ガイドモジュール１の組み合わせは、その内部にそれぞれ対応する温度センサユニット２３を設け、空調の設定速度を有効に制御管理することができ、これにより、システムの動作時、各マシンラック３内部の要求に応じて（即ち、各マシンラック本体３０中の電子装置３０２が発生する熱エネルギー）、適度に冷気/熱気を直接導入/導出し、冷却装置４０が生成する冷気を確実に必要なマシンラック３中に供給することができ、エネルギーの浪費を招くことを回避することができる。
【００３６】
図６を併せて参照し、本発明のもう１つの応用例において、各空調ガイドモジュール１の各前拡張筐体１０の上部及び底部にそれぞれ前ガイドモジュール１２を設け、それぞれ上方及び下方から２つの冷連通管路４１により冷却装置４０に接続する。下方の冷連通管路４１は、図に示すように、支持脚を利用してマシンラック本体３０及び前後拡張筐体１０、２０を持ち上げ、その下方に所定の空間を保持し、配置を行わせる。当然ながら、元のマシンルーム中に上げ床を破折してあれば、直接上げ床の風の出る位置を前拡張筐体１０底部のガイドモジュール１２に対応させ、本実施例の下方の冷連通管路４１として使用することができ、施工で消費するコストを減少させる。これにより、各前拡張筐体１０は、上部及び底部から冷気を導入することにより、マシンラック３内の電子装置３０２に高さの位置に関わらず、いずれも有効に冷気と接触させて熱交換を行わせることができる。
【００３７】
図７を併せて参照し、各後拡張筐体２０中に更に複数の温度センサユニット２３を配置することができ、それは、それぞれ異なる高さに取り付けられ、本願は、上中下の３種の高さを例とし、これにより、異なる高さの温度変化によって更に、位置に対応した前ガイドモジュール１２の空気をガイドする速度を調節することができる。図に示すように、マシンラック本体３０中の電子装置３０２の多くは、上方位置に偏って配置されており、それが動作している時、上方の温度センサユニット２３が温度の上昇を検出でき（図空の比較的広い実心の矢印で示すように、それが生成する空気は、相対位置の温度センサユニット２３によりセンシングすることができる）、この時、前拡張筐体１０上部の前ガイドモジュール１２を調節し、冷気のガイドを加速でき（図中の幅広の中空矢印で示す）、適当にマシンラック本体３０中の電子装置３０２の放熱要求に応じ、冷気の供給を行い、該電子装置３０２の熱交換の効率を加速し、更に内部空調のガイドの効果を達成する。同様に、下方位置に偏った温度センサユニット２３が測定する温度が高い時、前拡張筐体１０底部の前ガイドモジュール１２を調節し、冷気のガイドを加速することができ、各温度センサユニット２３が何れも温度上昇を検出する時、前拡張筐体１０上部及び底部の前ガイドモジュール１２が併せて冷気のガイドを加速するように調節することができる。
【００３８】
図８を参照し、それは、もう１つの可能な実施態様であり、本例中のマシンラック本体３０は、上から下目電子装置３０３、３０４を搭載しているが、電子装置が使用又は動作される状態が異なることにより、高速動作状態の電子装置３０３及び待機、スリープ状態の電子装置３０４に分けることができる。
【００３９】
周知であるのは、マシンラック中の各電子装置は、何れも高速動作又は待機、スリープ状態であり、その具体的状態は、使用上の要求に応じて変化し、且つ電子装置３０３が高速動作の状態にある時大量の熱エネルギーを発生し、電子装置３０４が待機、スリープ状態である時、比較的微量の熱エネルギーを発生するということである。従って、高速動作状態の必要でマシンラック全体に対して空調制御管理を行い続ければ、電子器材が高度使用状態にない（待機又はスリープ）時に大量のエネルギー消費を招く。
【００４０】
従って、図８の態様において、マシンラック本体３０の上方に偏った電子装置３０３が高速動作状態であり、比較的大量の熱エネルギーを発生し（図中の上方寄りの比較的広い実心矢印で示す）、下方に偏った電子装置３０４が待機、スリープ状態であり、比較的微量の熱エネルギーの発生を保持し（図中の下方寄りの比較的細い実心の矢印で示す）、この時、それが発生する熱エネルギーの違いに応じて、上方に偏った温度センサユニット２３が温度の顕著な上昇をセンシングする時、対応する位置（上部）の前ガイドモジュール１２の冷気をガイドする速度を加速させ（図中の上方寄りの比較的広い中空矢印で示す）、マシンラック３内の昇温する領域に対して直接冷気供給の効率を高め、その他の未昇温の領域は、元の供給速度を保持することができ（図中の下方寄りの比較的細い中空矢印で示す）、内部の直接空調ガイド及び省エネルギーの効果を達成する。
【００４１】
当然ながら、前記の実施態様以外に、本発明のマシンラック空調ガイド機制は、各マシンラック３中の異なる高さの具体的温度の変化をセンシングし、各マシンラック３の局部放熱の要求又は全体放熱要求を判断し、各マシンラック３内部で直接局部の空調ガイドを行うか、冷却装置４０から全てのマシンラック３の総体要求に基づいて自動変換、出力効率の調整を行い、過度な冷気の供給でエネルギーの浪費を招くことを回避し、省エネルギー及び空調の合理的制御管理の効果を達成する。可能な実施例において、冷却装置４０及びマシンラック３は、その最大パワーにより計画を行い、例えば、冷却装置４０が提供できる空調の最大パワーが５０ｋであり、各マシンラック３内部が高速動作状態で１０ｋの空調パワーを消費することができ、故に冷却装置４０は、５つのマシンラック３に対応し（図５又は図６参照）、該マシンラック３の放熱要求に確実に応じることができる。しかしながら、各マシンラック３の内部の電子装置は、ずっと高速動作状態にあるのではないので、各マシンラック３の放熱要求は、全て待機スリープの２ｋ以下、一部待機一部動作の２〜８ｋ、又は全部動作の８ｋ〜１０ｋである可能性があり、従って、５つのマシンラック３の放熱要求の合計は、異なる時間帯に基づき、４０ｋ以下又は３０ｋ以下更には２０ｋ以下である可能性があり、冷却装置４０は、最大パワー５０ｋを出力として持続すれば、大幅な浪費を招く。本発明のマシンラック空調ガイド機制に基づき、冷却装置４０に内蔵の制御器が各マシンラック３（温度センサユニット２３）の放熱要求を受け取り、全てのマシンラック３の総体要求に基づいて冷却装置４０の自動変換、出力効率の調整を制御し、最良な省エネルギー効果及びマシンルーム中の各マシンラックの空調制御管理を達成する。
【００４２】
また、本発明が開示するアーキテクチャにおいて、更に前方空間１１又は後方空間２１を利用し、マシンラック内容物が必要とする関連アセンブリを安置することができ、図９に示すように、前拡張筐体１０の両側にそれぞれ複数組の被結合部１３を設け、必要時に所定物体を結合させることに用い、比較的多くの状況は、電源分配装置５０又は配線管理装置６０を安置することに用いることができ、電源分配装置５０及び配線管理装置６０の背面側に対応する結合部５２、６１を設けることができ、それに被結合部１３と簡単に結合させることができ、前方空間１１の近傍に取り付けることができる。
【００４３】
図１０を併せて参照し、一般のマシンラック３０は、何れも電子装置を固定させる固定接続支持構造３３を有し、固定接続支持構造３３は、複数の固定間隔３３１を敷設し（電子工業協会が規範するEIA-310-D標準に基づき、各固定間隔３３１の高さはＵであり、１Ｕ＝１．７５インチ＝４４．４５ミリメートル）、規範に符合する電子装置を取り付けさせ、電源分配装置５０は、一側に複数の電源供給ユニット５１を敷設し、各給電ユニット５１に各固定間隔３３１と水平の対応を呈させ（即ち、給電ユニット５１の高さの間隔は、Ｕの規範に適合できる）、これにより、各マシンラック３０中に取り付けられる電子装置に適用可能な給電ユニット５１をもたせ、配線の長さが不足又は配線の混乱の問題を生じることがない。
【００４４】
図１１及び図１２を併せて参照し、上記前方空間１１を有効に利用する方式によって、電源分配装置５０を前方空間１１に取り付けるなどによってマシンラック３０内の空間が限られ、過度に混雑し易い問題を改善し、且つＵ標準に適合した電源分配装置５０（per U design）を利用し、配線を更に良好に計画することができ、又は、配線管理装置６０を前方空間１１に取り付け、前方空間１１を利用し、配線の管理を行い、マシンラック３０中の空気の導通を更に円滑にし、マシンラック３０内部の放熱性能を強化することができる。
【００４５】
本発明の空調ガイド機制により、従来のマシンルームの多くの欠陥を改善することができる。例えば、（１）開放式の空調環境がエネルギーを過度に消費する問題、（２）冷気を一括供給するモードがマシンラック中の局部位置の加熱の問題を改善し難く、冷気供給の効果を強化した場合にその他の不要な領域がエネルギーの浪費を形成する、（３）マシンルーム及びマシンラックの設置コストが過度に高く、環境空間の要求が過大である等である。本発明を利用し、各マシンラックの放熱要求に対する制御、及び各マシンラック内部の局部領域に対する直接的な空調ガイドを達成し、最適な空調機制及び省エネルギー管理を構成する。
【００４６】
以上の説明は、本発明の一実施例を示したものであり、本発明の実施範囲を限定するものではない。即ち、本発明の特許請求の範囲に記載の内容と同等効果である変更または修飾は、全て本発明に含まれる。
【符号の説明】
【００４７】
１  空調ガイドモジュール
１０  前拡張筐体
１１  前方空間
１２  前ガイドモジュール
１２１  導入口
１２２  前送風ユニット
１３  被結合部
２０  後拡張フレーム
２１  後方空間
２２  後ガイドモジュール
２２１  導出口
２２２  後送風ユニット
２３  温度センサユニット
３  マシンラック
３０  マシンラック本体
３０１  収容空間
３０２  電子装置
３０３  電子装置（高速動作状態）
３０４  電子装置（待機、スリープ状態）
３１  前板
３２  後板
３３  固定接続支持構造
３３１  固定間隔
４  冷却機制
４０  冷却装置
４１  冷連通管路
４２  熱連通管路
５０  電源分配装置
５１  供給ユニット
５２  結合部
６０  配線管理装置
６１  結合部
９  マシンルーム
９０  マシンラック
９１  冷却装置
９２  冷通路
９３  熱通路
９４  仕切り板
９５  上げ床
【図１】
2017015386.tif 000003
【図２】
2017015386.tif 000004
【図３】
2017015386.tif 000005
【図４】
2017015386.tif 000006
【図５】
2017015386.tif 000007
【図６】
2017015386.tif 000008
【図７】
2017015386.tif 000009
【図８】
2017015386.tif 000010
【図９】
2017015386.tif 000011
【図１０】
2017015386.tif 000012
【図１１】
2017015386.tif 000013
【図１２】
2017015386.tif 000014